(57)【特許請求の範囲】
【請求項１】
外部サーバーとネットワークを介して通信可能な電子機器であって、
操作可能な機構部と、
前記機構部への操作に起因する同機構部の状態変化を検知する状態変化検知部と、
画面を表示する表示部と、
前記表示部を制御する表示制御部と、
前記表示部に表示させる画面に関する画面情報である内部サーバー画面情報を前記表示制御部に出力する内部サーバーと、
前記電子機器に予め用意されている画面に関する画面情報であるネイティブ画面情報を記憶するネイティブ画面記憶部と、を備え、
前記表示制御部は、前記外部サーバーから受信した画面情報である外部サーバー画面情報に基づいた画面を前記表示部に表示させる第１の表示処理と、前記内部サーバーから出力された前記内部サーバー画面情報に基づいた画面を前記表示部に表示させる第２の表示処理と、前記ネイティブ画面記憶部から読み出した前記ネイティブ画面情報に基づいた画面を前記表示部に表示させる第３の表示処理とを実施するようになっており、
前記表示制御部は、
前記第１の表示処理を実施している場合に前記状態変化検知部によって前記機構部の状態変化が検知されたとき、同第１の表示処理から前記第２の表示処理に切り替え、同機構部の状態変化の態様に応じた画面に関する前記内部サーバー画面情報に基づいた画面を前記表示部に表示させ、
前記第３の表示処理を実施している場合に前記状態変化検知部によって前記機構部の状態変化が検知されたとき、同第３の表示処理から前記第２の表示処理に切り替え、同機構部の状態変化の態様に応じた画面に関する前記内部サーバー画面情報に基づいた画面を前記表示部に表示させる
ことを特徴とする電子機器。
【請求項２】
媒体に対して印刷を施す印刷部を備え、
前記機構部は、印刷前の媒体が収容されるとともに、前記電子機器の本体への装着及び脱着が可能な媒体収容部を含んでおり、
前記表示制御部は、前記第１の表示処理を実施している場合に前記状態変化検知部によって前記媒体収容部の状態変化が検知されたとき、同第１の表示処理から前記第２の表示処理に切り替え、同媒体収容部にセットされた媒体の属性を設定させるための画面に関する前記内部サーバー画面情報に基づいた画面を前記表示部に表示させる
請求項１に記載の電子機器。
【請求項３】
前記機構部はカバー部材を含み、同カバー部材は、前記電子機器の内部を覆うための遮蔽位置と、前記電子機器の内部を外部に露出させるための開放位置との間での変位が可能に構成されており、
前記表示制御部は、前記第１の表示処理を実施している場合に前記状態変化検知部によって前記カバー部材の位置が前記遮蔽位置から変わったことが検知されたとき、同第１の表示処理から前記第２の表示処理に切り替え、前記カバー部材の位置変化に応じた画面に関する前記内部サーバー画面情報に基づいた画面を前記表示部に表示させる
請求項１又は請求項２に記載の電子機器。
【請求項４】
前記内部サーバーは、
前記状態変化検知部によって前記機構部の状態変化が検知されたとき、内部用アクセス情報を前記表示制御部に対して指定し、
要求された画面の前記内部サーバー画面情報を同表示制御部に出力し、
前記表示制御部は、前記第２の表示処理を実施するとき、前記内部サーバーによって指定されている前記内部用アクセス情報に応じた画面を要求し、同要求に応じて同内部サーバーから入力された前記内部サーバー情報に基づいた画面を前記表示部に表示させる
請求項１〜請求項３のうち何れか一項に記載の電子機器。
【請求項５】
前記表示制御部は、前記第３の表示処理を実施する第１の表示制御部と、前記第１の表示処理及び前記第２の表示処理を実施する第２の表示制御部と、前記表示部の制御権を管理する制御権管理部と、を備え、
前記第１の表示制御部は、同第１の表示制御部が前記制御権を有しているときに、前記第３の表示処理を実施し、
前記第２の表示制御部は、同第２の表示制御部が前記制御権を有しているときに、前記第１の表示処理及び前記第２の表示処理の何れか一方を選択して実施し、
前記制御権管理部は、前記第１の表示制御部によって前記第３の表示処理が実施されている場合に前記状態変化検知部によって前記機構部の状態変化が検知されたときに、前記制御権を前記第１の表示制御部から前記第２の表示制御部に移管させるようになっており、
前記第１の表示制御部は、前記第３の表示処理を実施している場合に前記状態変化検知部によって前記機構部の状態変化が検知されたときに、前記第３の表示処理の実施を終了し、
前記第２の表示制御部は、前記第１の表示制御部によって前記第３の表示処理が実施されている場合に前記状態変化検知部によって前記機構部の状態変化が検知されて前記制御権が前記第１の表示制御部から移管されたときには、前記第２の表示処理の実施によって、前記機構部の状態変化の態様に応じた画面に関する前記内部サーバー画面情報に基づいた画面を前記表示部に表示させる
請求項１〜請求項４のうち何れか一項に記載の電子機器。
【請求項６】
ネットワークを介して外部サーバーと通信する電子機器における表示制御方法であって、
前記電子機器は、操作可能な機構部と、画面を表示する表示部と、同表示部の表示態様を制御する制御装置と、を備え、
前記制御装置には、前記表示部を制御する表示制御部と、前記表示部に表示させる画面に関する画面情報である内部サーバー画面情報を前記表示制御部に出力する内部サーバーと、前記電子機器に予め用意されている画面に関する画面情報であるネイティブ画面情報を記憶するネイティブ画面記憶部とが設けられており、
前記制御装置に、
前記外部サーバーから受信した画面情報である外部サーバー画面情報に基づいた画面を前記表示部に表示させる第１の表示ステップと、
前記内部サーバーから前記表示制御部に出力された前記内部サーバー画面情報に基づいた画面を前記表示部に表示させる第２の表示ステップと、
前記ネイティブ画面記憶部から前記表示制御部によって読み出された前記ネイティブ画面情報に基づいた画面を前記表示部に表示させる第３の表示ステップと、
前記機構部への操作に起因する同機構部の状態変化を検知させる状態変化検知ステップと、
前記外部サーバー画面情報に基づいた画面を前記表示部が表示している場合に前記状態変化検知ステップで前記機構部の状態変化を検知したときには、前記第１の表示ステップから前記第２の表示ステップに切り替えさせる切り替えステップと、
前記ネイティブ画面情報に基づいた画面を前記表示部が表示している場合に前記状態変化検知ステップで前記機構部の状態変化を検知したときには、前記第３の表示ステップから前記第２の表示ステップに切り替えさせる他の切り替えステップと、を実行させるようになっており、
前記切り替えステップの実行によって前記第２の表示ステップが実行されたときには、前記機構部の状態変化の態様に応じた画面に関する前記内部サーバー画面情報を前記内部サーバーから前記表示制御部に出力させ、同内部サーバー画面情報に基づいた画面を前記表示部に表示させ、
前記他の切り替えステップの実行によって前記第２の表示ステップが実行されたときには、前記機構部の状態変化の態様に応じた画面に関する前記内部サーバー画面情報を前記内部サーバーから前記表示制御部に出力させ、同内部サーバー画面情報に基づいた画面を前記表示部に表示させる
ことを特徴とする電子機器における表示制御方法。
【発明の詳細な説明】
【技術分野】
【０００１】
本発明は、表示部を有する電子機器と、同電子機器における表示制御方法とに関する。
【背景技術】
【０００２】
特許文献１には、ウェブブラウザー機能を有する複合機（電子機器の一例）が記載されている。こうした複合機では、外部サーバーで生成された画面であるブラウザー画面を自身の表示部に表示させることができる。すなわち、複合機の制御装置は、外部サーバーによってアクセス情報の一例であるＵＲＬ（Uniform Resource Locator）が指定されると、このＵＲＬのブラウザー画面に関する情報であるブラウザー画面情報を要求し、同ブラウザー画面情報を受信（ダウンロード）する。そして、制御装置は、受信したブラウザー画面情報に基づいたブラウザー画面を表示部に表示させる。
【先行技術文献】
【特許文献】
【０００３】
【特許文献１】特開２０１４−４８７４６号公報
【発明の概要】
【発明が解決しようとする課題】
【０００４】
ここで、複合機などの印刷装置にあっては、機構部の一例を構成する用紙カセットにセットされている用紙（媒体の一例）の属性（サイズや種類など）を検知するためのセンサーを備えていない装置もある。こうした印刷装置では、同印刷装置を構成するユーザーインターフェースをユーザーが操作することにより、用紙カセットにセットされている用紙の属性を取得することができる。
【０００５】
なお、こうした用紙の属性を設定するためのユーザーによるユーザーインターフェースの操作は、用紙カセットが操作され、用紙カセットが印刷装置の本体から離脱されたり用紙カセットが本体に装着されたりしたときに行われることがある。そのため、ユーザーによる用紙カセットの操作に起因する同用紙カセットの状態変化が検出されたときには、印刷装置の表示部に表示させる画面を、そのときの同機構部の状態変化の態様に応じた画面の一例である用紙属性設定用の画面に切り替えることが好ましい。
【０００６】
しかしながら、外部サーバーによって指定されているＵＲＬのブラウザー画面を表示部に表示させる印刷装置と、同外部サーバーとを備えるシステムでは、ユーザーによる用紙カセットの操作に起因する同用紙カセットの状態変化を外部サーバーで検知することができない。そのため、当該外部サーバーでは、用紙属性設定用の画面を印刷装置の表示部に表示させるタイミングを計ることができず、ユーザーによる用紙カセットの操作によって同用紙カセットの状態が変化しても、印刷装置の表示部に用紙属性設定用の画面が表示されないおそれがある。
【０００７】
本発明の目的は、機構部がユーザーによって操作されたときに、そのときの同機構部の状態変化の態様に応じた画面を表示部に表示させることができる電子機器、及び電子機器における表示制御方法を提供することにある。
【課題を解決するための手段】
【０００８】
上記目的を達成するための電子機器は、外部サーバーとネットワークを介して通信可能な電子機器であって、操作可能な機構部と、前記機構部への操作に起因する同機構部の状態変化を検知する状態変化検知部と、画面を表示する表示部と、前記表示部に表示させる画面に関する画面情報である内部サーバー画面情報を生成する内部サーバーと、前記外部サーバーから受信した画面情報である外部サーバー画面情報に基づいた画面を前記表示部に表示させる第１の表示処理と、前記内部サーバーで生成された前記内部サーバー画面情報に基づいた画面を前記表示部に表示させる第２の表示処理とを実施する表示制御部と、を備え、前記表示制御部は、前記第１の表示処理を実施している最中に前記状態変化検知部によって前記機構部の状態変化が検知されたとき、同第１の表示処理から前記第２の表示処理に切り替え、同機構部の状態変化の態様に応じた画面に関する前記内部サーバー画面情報に基づいた画面を前記表示部に表示させる。
また、電子機器は、操作可能な機構部と、前記機構部への操作に起因する同機構部の状態変化を検知する状態変化検知部と、画面を表示する表示部と、前記表示部を制御する表示制御部と、前記表示部に表示させる画面に関する画面情報である内部サーバー画面情報を前記表示制御部に出力する内部サーバーと、前記電子機器に予め用意されている画面に関する画面情報であるネイティブ画面情報を記憶するネイティブ画面記憶部と、を備え、前記表示制御部は、前記外部サーバーから受信した画面情報である外部サーバー画面情報に基づいた画面を前記表示部に表示させる第１の表示処理と、前記内部サーバーから出力された前記内部サーバー画面情報に基づいた画面を前記表示部に表示させる第２の表示処理と、前記ネイティブ画面記憶部から読み出した前記ネイティブ画面情報に基づいた画面を前記表示部に表示させる第３の表示処理とを実施するようになっており、前記表示制御部は、前記第１の表示処理を実施している場合に前記状態変化検知部によって前記機構部の状態変化が検知されたとき、同第１の表示処理から前記第２の表示処理に切り替え、同機構部の状態変化の態様に応じた画面に関する前記内部サーバー画面情報に基づいた画面を前記表示部に表示させ、前記第３の表示処理を実施している場合に前記状態変化検知部によって前記機構部の状態変化が検知されたとき、同第３の表示処理から前記第２の表示処理に切り替え、同機構部の状態変化の態様に応じた画面に関する前記内部サーバー画面情報に基づいた画面を前記表示部に表示させる。
【０００９】
上記構成によれば、外部サーバーから受信した外部サーバー画面情報に基づいた画面が表示部に表示されている状況下で、ユーザーによる機構部の操作に起因する同機構部の状態変化が検知されると、表示処理が、第１の表示処理から第２の表示処理に切り替えられる。すると、機構部の状態変化の態様に応じた画面に関する内部サーバー画面情報が内部サーバーから表示制御部に出力され、この内部サーバー画面情報に基づいた画面が表示部に表示される。したがって、機構部がユーザーによって操作されたときに、そのときの同機構部の状態変化の態様に応じた画面を表示部に表示させることができるようになる。
【００１０】
上記電子機器は、媒体に対して印刷を施す印刷部を備え、前記機構部は、印刷前の媒体が収容されるとともに、前記電子機器の本体への装着及び脱着が可能な媒体収容部を含んでおり、前記表示制御部は、前記第１の表示処理を実施している最中に前記状態変化検知部によって前記媒体収容部の状態変化が検知されたとき、同第１の表示処理から前記第２の表示処理に切り替え、同媒体収容部にセットされた媒体の属性を設定させるための画面に関する前記内部サーバー画面情報に基づいた画面を前記表示部に表示させることが好ましい。
【００１１】
ユーザーによって媒体収容部が操作されると、媒体収容部に収容される媒体の属性が変わった可能性がある。そのため、電子機器の表示部に、媒体の属性を設定させるための画面を表示させ、媒体収容部に収容されている媒体の属性をユーザーに設定させる必要がある。この点、上記構成によれば、外部サーバーから受信した外部サーバー画面情報に基づいた画面が表示部に表示されている状況下で、ユーザーによる媒体収容部の操作に起因する同媒体収容部の状態変化が検知されると、表示処理が、第１の表示処理から第２の表示処理に切り替えられる。その結果、電子機器の表示部に、媒体の属性を設定させるための画面を表示させることができるようになる。
【００１２】
上記電子機器において、前記機構部はカバー部材を含み、同カバー部材は、前記電子機器の内部を覆うための遮蔽位置と、前記電子機器の内部を外部に露出させるための開放位置との間での変位が可能に構成されており、前記表示制御部は、前記第１の表示処理を実施している最中に前記状態変化検知部によって前記カバー部材の位置が前記遮蔽位置から変わったことが検知されたとき、同第１の表示処理から前記第２の表示処理に切り替え、前記カバー部材の位置変化に応じた画面に関する前記内部サーバー画面情報に基づいた画面を前記表示部に表示させることが好ましい。
【００１３】
上記構成では、外部サーバーから受信した外部サーバー画面情報に基づいた画面が表示部に表示されている状況下で、カバー部材の遮蔽位置からの変位が検知されると、表示処理が、第１の表示処理から第２の表示処理に切り替えられる。その結果、電子機器の表示部に、カバー部材の状態の変化に応じた画面を表示部に表示させることができるようになる。
【００１４】
上記電子機器は、前記表示部に表示させる画面に関する画面情報であるネイティブ画面情報を記憶するネイティブ画面記憶部を備え、前記表示制御部は、前記ネイティブ画面記憶部から読み出した前記ネイティブ画面情報に基づいた画面を前記表示部に表示させる第３の表示処理を実施するようになっており、前記表示制御部は、前記第３の表示処理を実施している最中に前記状態変化検知部によって前記機構部の状態変化が検知されたとき、前記第３の表示処理から前記第２の表示処理に切り替え、前記機構部の状態変化の態様に応じた画面に関する前記内部サーバー画面情報に基づいた画面を前記表示部に表示させることが好ましい。
【００１５】
上記の電子機器では、ネイティブ画面情報に基づいた画面が表示部に表示されることがある。そして、このようにネイティブ画面情報に基づいた画面が表示部に表示されているときに、ユーザーによる操作部の操作によって同操作部の状態が変化することもある。そこで、上記構成では、ネイティブ画面情報に基づいた画面が表示部に表示されている状況下で、操作部の状態変化が検知されたときには、ネイティブ画面情報に基づいた画面の表示部への表示が終了され、そのときの操作部の状態変化の態様に応じた画面に関する内部サーバー画面情報に基づいた画面が表示部に表示される。したがって、ネイティブ画面情報に基づいた画面が表示部に表示されている状況下で機構部がユーザーによって操作されたときであっても、そのときの同機構部の状態変化の態様に応じた画面を表示部に速やかに表示させることができるようになる。
【００１６】
上記電子機器において、前記内部サーバーは、前記状態変化検知部によって前記機構部の状態変化が検知されたとき、内部用アクセス情報を前記表示制御部に対して指定し、要求された画面の前記内部サーバー画面情報を同表示制御部に出力し、前記表示制御部は、前記第２の表示処理を実施するとき、前記内部サーバーによって指定されている前記内部用アクセス情報に応じた画面を要求し、同要求に応じて同内部サーバーから入力された前記内部サーバー情報に基づいた画面を前記表示部に表示させることが好ましい。
【００１７】
上記構成によれば、第２の表示処理を実施する場合、内部サーバーによって指定された内部用アクセス情報に応じた画面に関する内部サーバー画面情報が、同内部サーバーから表示制御部に出力される。これにより、機構部の状態変化の態様に応じた画面を表示部に表示させることが可能となる。
【００１８】
また、上記目的を達成するための電子機器における表示制御方法は、ネットワークを介して外部サーバーと通信する電子機器における表示制御方法であって、前記電子機器は、操作可能な機構部と、画面を表示する表示部と、同表示部の表示態様を制御する制御装置と、を備え、前記制御装置には、前記表示部に表示させる画面に関する画面情報である内部サーバー画面情報を生成する内部サーバーが設けられており、前記制御装置に、前記外部サーバーから受信した画面情報である外部サーバー画面情報に基づいた画面を前記表示部に表示させる第１の表示ステップと、前記内部サーバーで生成された前記内部サーバー画面情報に基づいた画面を前記表示部に表示させる第２の表示ステップと、前記機構部への操作に起因する同機構部の状態変化を検知させる状態変化検知ステップと、前記外部サーバー画面情報に基づいた画面を前記表示部が表示している最中に前記状態変化検知ステップで前記機構部の状態変化を検知したときには、前記第１の表示ステップから前記第２の表示ステップに切り替えさせる切り替えステップと、を有し、前記切り替えステップの実行によって前記第２の表示ステップが実行されたときには、前記機構部の状態変化の態様に応じた画面に関する前記内部サーバー画面情報を前記内部サーバーから取得し、同内部サーバー画面情報に基づいた画面を前記表示部に表示させる。
また、電子機器における表示制御方法であって、前記電子機器は、操作可能な機構部と、画面を表示する表示部と、同表示部の表示態様を制御する制御装置と、を備え、前記制御装置には、前記表示部を制御する表示制御部と、前記表示部に表示させる画面に関する画面情報である内部サーバー画面情報を前記表示制御部に出力する内部サーバーと、前記電子機器に予め用意されている画面に関する画面情報であるネイティブ画面情報を記憶するネイティブ画面記憶部とが設けられており、前記制御装置に、前記外部サーバーから受信した画面情報である外部サーバー画面情報に基づいた画面を前記表示部に表示させる第１の表示ステップと、前記内部サーバーから前記表示制御部に出力された前記内部サーバー画面情報に基づいた画面を前記表示部に表示させる第２の表示ステップと、前記ネイティブ画面記憶部から前記表示制御部によって読み出された前記ネイティブ画面情報に基づいた画面を前記表示部に表示させる第３の表示ステップと、前記機構部への操作に起因する同機構部の状態変化を検知させる状態変化検知ステップと、前記外部サーバー画面情報に基づいた画面を前記表示部が表示している場合に前記状態変化検知ステップで前記機構部の状態変化を検知したときには、前記第１の表示ステップから前記第２の表示ステップに切り替えさせる切り替えステップと、前記ネイティブ画面情報に基づいた画面を前記表示部が表示している場合に前記状態変化検知ステップで前記機構部の状態変化を検知したときには、前記第３の表示ステップから前記第２の表示ステップに切り替えさせる他の切り替えステップと、を実行させるようになっており、前記切り替えステップの実行によって前記第２の表示ステップが実行されたときには、前記機構部の状態変化の態様に応じた画面に関する前記内部サーバー画面情報を前記内部サーバーから前記表示制御部に出力させ、同内部サーバー画面情報に基づいた画面を前記表示部に表示させ、前記他の切り替えステップの実行によって前記第２の表示ステップが実行されたときには、前記機構部の状態変化の態様に応じた画面に関する前記内部サーバー画面情報を前記内部サーバーから前記表示制御部に出力させ、同内部サーバー画面情報に基づいた画面を前記表示部に表示させる。
【００１９】
上記構成によれば、上記電子機器と同等の作用効果を得ることができる。
【図面の簡単な説明】
【００２０】
【図１】電子機器の一実施形態である複合機を備える管理システムの概略を示す構成図。
【図２】複合機の概略構成を示す模式図。
【図３】複合機のユーザーインターフェースの一例を示す模式図。
【図４】複合機の電気的構成を示すブロック図。
【図５】複合機の制御装置の機能構成を示すブロック図。
【図６】複合機で利用の許可されている処理を表示する画面の一例を示す図。
【図７】選択可能な印刷ジョブを一覧で表示する画面の一例を示す図。
【図８】印刷中に表示される画面の一例を示す図。
【図９】給紙カセット内の用紙の属性の設定を促す画面の一例を示す図。
【図１０】給紙カセット内の用紙のサイズの設定を促す画面の一例を示す図。
【図１１】給紙カセット内の用紙の種類の設定を促す画面の一例を示す図。
【図１２】カバー部材が遮蔽位置に位置していないことを報知する画面の一例を示す図。
【図１３】コピーの実行に先立って各種の条件の選択を促す画面の一例を示す図。
【図１４】情報端末のモニターに、複合機の状態を案内する画面の一例を示す図。
【図１５】外部ブラウザー画面が表示部に表示されている状況下で、給紙カセットへの操作に起因する割り込み表示イベントが発生した際における処理手順を説明するフローチャート。
【図１６】外部ブラウザー画面が表示部に表示されている状況下で、カバー部材への操作に起因する割り込み表示イベントが発生した際における処理手順を説明するフローチャート。
【図１７】ネイティブ画面が表示部に表示されている状況下で、カバー部材への操作に起因する割り込み表示イベントが発生した際における処理手順を説明するフローチャート。
【発明を実施するための形態】
【００２１】
以下、電子機器及び電子機器における表示制御方法を具体化した一実施形態について図１〜図１７に従って説明する。
図１は、電子機器の一例である複合機２０を備える管理システム１０を図示している。図１に示すように、この管理システム１０は、外部サーバーの一例である管理サーバー４０と、ＬＡＮ（Local Area Network）などのネットワーク１１を通じて管理サーバー４０と通信可能な複数の複合機２０とを備えている。また、管理システム１０には、ユーザーによって利用される情報端末１２がネットワーク１１に接続されている。
【００２２】
この情報端末１２は、表示部の一例であるモニター１２１を有しており、ネットワーク１１を介して複合機２０及び管理サーバー４０の双方と通信可能となっている。すなわち、情報端末１２のモニター１２１には、複合機２０から送信された画面情報（詳しくは、後述する内部ブラウザー画面情報）に基づいた画面（内部ブラウザー画面）を表示させることが可能である。
【００２３】
複合機２０は、用紙などの媒体に印刷を施すインクジェット方式の印刷部２１と、媒体に記憶されている画像を読み取るスキャン部２２と、ユーザーインターフェース２３と、管理サーバー４０と共に複合機２０を制御する制御装置２４とを備えている。印刷部２１による印刷方式は、媒体への印刷が可能であれば、ドットインパクト方式、レーザー方式及び感熱方式などのようにインクジェット方式以外の他の方式であってもよい。
【００２４】
複合機２０で実行可能な処理としては、印刷、コピー、スキャン及びファクシミリ（以下、「ＦＡＸ」という。）を含んでいる。例えば、ユーザーが情報端末１２を操作して印刷を要求すると、印刷ジョブが情報端末１２から管理サーバー４０に送信される。そして、この管理サーバー４０から印刷ジョブが各複合機２０の何れか１つの複合機に送信されると、同複合機が印刷ジョブに基づいた印刷を行う。
【００２５】
なお、印刷は、管理サーバー４０から受信した印刷ジョブに基づいた処理であり、管理サーバー４０から受信した情報に基づいた「受信要処理」の一例である。一方、印刷以外の他の処理、すなわちコピー、スキャン及びＦＡＸは、管理サーバー４０からの情報の受信を必要としない「受信不要処理」の一例である。
【００２６】
次に、図２を参照し、複合機２０の構成について説明する。
図２に示すように、複合機２０では、印刷部２１とスキャン部２２とが上下方向に並ぶように配置されている。印刷部２１は、複合機２０の筐体の一部を構成する印刷部ケース８１を備えており、この印刷部ケース８１における前面側の上部にユーザーインターフェース２３が配置されている。
【００２７】
印刷部ケース８１におけるユーザーインターフェース２３よりも下方には、機構部の一例を構成するカバー部材８２が開閉可能に取り付けられている。このカバー部材８２は、印刷部２１の内部を覆うための遮蔽位置と、印刷部２１の内部を外部に開放させるための開放位置との間で変位可能（この場合、回動可能）に構成されている。そして、カバー部材８２を開放位置に配置させることにより、ユーザーは、自身の手などを印刷部ケース８１内に進入させることができ、ひいては部品の交換などの各種のメンテナンスを行うことが可能となる。
【００２８】
また、印刷部ケース８１におけるカバー部材８２よりも下方には、印刷済みの用紙Ｐ（媒体の一例）が排出される排出口８３が設けられている。そして、印刷部ケース８１における排出口８３よりも下方には、印刷前の用紙Ｐを収容する媒体収容部の一例である給紙カセット８４が着脱可能に装着されている。なお、給紙カセット８４により、ユーザーが操作可能な「機構部」の一例が構成されている。
【００２９】
こうした印刷部ケース８１の内部には、図中左右方向である主走査方向に移動するキャリッジ８５と、キャリッジ８５に支持されている印刷ヘッド８６とが設けられている。そして、この印刷ヘッド８６からインクなどの印刷材が用紙Ｐに向けて吐出されることにより、用紙Ｐに印刷が施される。
【００３０】
次に、図３を参照し、複合機２０のユーザーインターフェース２３について説明する。
図３に示すように、ユーザーインターフェース２３は、ユーザーによる入力操作を受け付ける操作部２３１と、表示部２３２とを備えている。操作部２３１は、表示部２３２に取り付けられているタッチパネル２３Ａと、押しボタン式の複数のハードキー２３Ｂとを有している。なお、図２では、タッチパネル２３Ａが二点鎖線で示されている。そして、ユーザーによるタッチパネル２３Ａの操作によって、例えば表示部２３２上の「印刷」の領域が選択されると、管理システム１０では、ユーザーが印刷を要求していると認識することができる。
【００３１】
なお、ユーザーによる操作部２３１の操作に起因する入力情報は、複合機２０の制御装置２４に入力される。すなわち、ハードキー２３Ｂが操作されると、ハードキー２３Ｂの操作に関する情報であるキー操作情報が入力情報として制御装置２４に入力され、キー操作情報が制御装置２４によって解析される。一方、タッチパネル２３Ａが操作されると、タッチパネル２３Ａの操作に関する情報であるパネル操作情報が入力情報として制御装置２４に入力される。こうしたパネル操作情報は、制御装置２４から管理サーバー４０に送信されることもある。そして、このようにパネル操作情報が管理サーバー４０に送信されたときには、管理サーバー４０でパネル操作情報が解析される。一方、パネル操作情報が管理サーバー４０に送信されないときには、制御装置２４でパネル操作情報が解析される。
【００３２】
次に、図４を参照し、複合機２０の制御装置２４について説明する。
図４に示すように、制御装置２４は、マルチコアプロセッサーを備えている。そして、制御装置２４を構成する複数（この場合、２つ）の制御回路５０，６０のうち、第１の制御回路５０は複合機２０の制御を司っており、第２の制御回路６０は管理サーバー４０や情報端末１２との通信を司っている。こうした各制御回路５０，６０は、情報の入出力が互いに可能に構成されている。
【００３３】
第１の制御回路５０は、例えばユーザーが印刷の実行を要求しているときには、印刷部２１を制御することにより、用紙Ｐへの印刷を実行する。また、第１の制御回路５０は、例えばユーザーがコピーの実行を要求しているときには、印刷部２１及びスキャン部２２を制御することにより、コピーを実行する。
【００３４】
こうした第１の制御回路５０には、ユーザーインターフェース２３の操作部２３１のハードキー２３Ｂが操作されると、ハードキー２３Ｂの操作に関するキー操作情報が入力情報として入力される。
【００３５】
また、第１の制御回路５０には、給紙カセット８４が操作されたことを検知するためのカセットセンサー８８と、カバー部材８２の位置が遮蔽位置から開放位置に変化したことを検知するためのカバーセンサー８９とが電気的に接続されている。そのため、第１の制御回路５０は、カセットセンサー８８からの信号を監視することにより、給紙カセット８４が印刷部ケース８１から離脱されたこと、及び給紙カセット８４が印刷部ケース８１に装着されたことを検知することができる。また、第１の制御回路５０は、カバーセンサー８９からの信号を監視することにより、カバー部材８２が遮蔽位置に位置していないことを検知することができる。
【００３６】
第１の制御回路５０は、ＣＰＵ５１、ＡＳＩＣ５２、ＲＡＭ５３、不揮発性メモリー５４及びＶＲＡＭ５５を有している。「ＡＳＩＣ」は「Application Specific IC（特定用途向けＩＣ）」の略記であり、「ＶＲＡＭ」は「Video Random Access Memory」の略記である。不揮発性メモリー５４には、ＣＰＵ５１によって実行される各種のプログラム及び必要な設定データなどが記憶されている。ＲＡＭ５３には、ＣＰＵ５１が実行するプログラムや各種の演算結果などのデータが一時的に記憶される。ＶＲＡＭ５５には、第１の制御回路５０が表示部２３２に表示させる画面であるネイティブ画面に関する情報である画面情報（以下、「ネイティブ画面情報」ともいう。）が記憶される。なお、ネイティブ画面は、複合機２０で予め用意されている画面を含んでいる。
【００３７】
また、第１の制御回路５０は、内部サーバーとしての機能も有している。すなわち、第１の制御回路５０は、自身で指定した内部用アクセス情報の一例であるＵＲＬ（以下、「内部用ＵＲＬ」ともいう。）のブラウザー画面（以下、「内部ブラウザー画面」ともいう。）を情報端末１２のモニター１２１に表示させる機能を有している。「ＵＲＬ」とは、「Uniform Resource Locator」の略記である。
【００３８】
具体的には、第１の制御回路５０は、情報端末１２に対して内部ＵＲＬを指定すると、指定した内部ＵＲＬの内部ブラウザー画面が同情報端末１２から要求される。すると、第１の制御回路５０は、要求された内部ブラウザー画面に関する画面情報である内部ブラウザー画面情報を情報端末１２に送信する。このとき、内部ブラウザー画面情報は、第２の制御回路６０を経由して情報端末１２に送信される。これにより、第１の制御回路５０は、送信した内部ブラウザー画面情報に基づいた内部ブラウザー画面を情報端末１２のモニター１２１に表示させることができる。なお、この内部ブラウザー画面情報が、「内部サーバー画面情報」の一例である。
【００３９】
第２の制御回路６０は、ＣＰＵ６１、ＲＡＭ６２、不揮発性メモリー６３及びＶＲＡＭ６４を有している。不揮発性メモリー６３には、ＣＰＵ６１によって実行される各種のプログラム及び必要な設定データなどが記憶されている。ＲＡＭ６２には、ＣＰＵ６１が実行するプログラムや各種の演算結果などのデータが一時的に記憶される。ＶＲＡＭ６４には、第２の制御回路６０が表示部２３２に表示させる画面であるブラウザー画面に関する情報である画面情報（以下、「ブラウザー画面情報」ともいう。）が記憶される。
【００４０】
ブラウザー画面情報は、上述した内部ブラウザー画面情報に加え、管理サーバー４０によって指定されている外部用アクセス情報の一例であるＵＲＬ（以下、「外部ＵＲＬ」ともいう。）から受信（ダウンロード）した画面情報である外部ブラウザー情報を含んでいる。この外部ブラウザー画面情報が、「外部サーバー画面情報」の一例である。そして、第２の制御回路６０では、外部ブラウザー画面情報を受信したときには、同外部ブラウザー画面情報がＶＲＡＭ６４に記憶される。
【００４１】
なお、本実施形態では、詳しくは後述する複合機２０で割り込み表示イベントが発生した場合、第２の制御回路６０は、第１の制御回路５０から入力された内部ブラウザー画面情報をＶＲＡＭ６４に記憶させることがある。
【００４２】
また、第２の制御回路６０には、ユーザーインターフェース２３の操作部２３１のタッチパネル２３Ａが操作されると、タッチパネル２３Ａの操作に関するパネル操作情報が入力情報として入力される。そして、第２の制御回路６０は、入力されたパネル操作情報を管理サーバー４０に送信したり、第１の制御回路５０に出力したりする。
【００４３】
また、制御装置２４は、第１の制御回路５０のＶＲＡＭ５５及び第２の制御回路６０のＶＲＡＭ６４とは別にＶＲＡＭ７０を有している。このＶＲＡＭ７０には、表示部２３２に表示されている画面に関する画面情報が記憶される。このＶＲＡＭ７０には、第１の制御回路５０及び第２の制御回路６０の双方がアクセス可能である。そして、第１の制御回路５０及び第２の制御回路６０は、表示部２３２を制御するための表示制御ドライバーを有している。そのため、本実施形態の複合機２０にあっては、第１の制御回路５０による表示制御が可能であり、第２の制御回路６０による表示制御が可能である。
【００４４】
具体的には、何れの制御回路によって表示制御を実行させるかについては、第１の制御回路５０によって決定される。すなわち、第１の制御回路５０が、表示部２３２の制御権を管理している。例えば、第１の制御回路５０が制御権を有している場合、第１の制御回路５０は、第３の表示処理を実行する。この第３の表示処理では、ネイティブ画面情報をＶＲＡＭ７０に記憶させることにより、同ネイティブ画面情報に基づいたネイティブ画面を表示部２３２に表示させる。
【００４５】
一方、第２の制御回路６０が制御権を第１の制御回路５０から譲り受けた場合、第２の制御回路６０は、第１の表示処理又は第２の表示処理を実行する。第１の表示処理では、管理サーバー４０から受信してＶＲＡＭ６４に記憶させ、ＶＲＡＭ６４に記憶している外部ブラウザー画面情報をＶＲＡＭ７０に移動させることにより、同外部ブラウザー画面を表示部２３２に表示させる。また、第２の表示処理では、第１の制御回路５０から入力された内部ブラウザー画面情報をＶＲＡＭ６４に記憶させ、ＶＲＡＭ６４に記憶している内部ブラウザー画面情報をＶＲＡＭ７０に移動させることにより、同内部ブラウザー画面を表示部２３２に表示させる。
【００４６】
次に、図５を参照し、複合機２０の制御装置２４の機能構成について説明する。
図５に示すように、複合機２０の制御装置２４は、ソフトウェア及びハードウェアの少なくとも一方で構成される機能部として、ハードキー入力判断部９１、パネル入力判断部９２、内部サーバー９７、ＵＩ制御部９３、ネイティブ画面記憶部９４、通信部９５及び制御部９６を有している。
【００４７】
ハードキー入力判断部９１は、所定のプログラムを実行する第１の制御回路５０のＣＰＵ５１によって構成されている。こうしたハードキー入力判断部９１には、ユーザーがハードキー２３Ｂを操作したときに、ユーザーインターフェース２３からのハードキー操作情報が入力される。そして、ハードキー入力判断部９１は、入力されたハードキー操作情報を解析し、その解析結果をＵＩ制御部９３に出力したり、制御部９６に出力したりする。
【００４８】
パネル入力判断部９２は、所定のプログラムを実行する第２の制御回路６０のＣＰＵ６１によって構成されている。こうしたパネル入力判断部９２には、ユーザーがタッチパネル２３Ａを操作したときに、ユーザーインターフェース２３からのパネル操作情報が入力される。そして、パネル入力判断部９２は、表示部２３２に外部ブラウザー画面が表示されているときには、入力されたパネル操作情報を通信部９５に出力する。すると、このパネル操作情報が、通信部９５から管理サーバー４０に送信される。一方、パネル入力判断部９２は、表示部２３２にネイティブ画面及び内部ブラウザー画面が表示されているときには、パネル操作情報をＵＩ制御部９３に出力する。
【００４９】
内部サーバー９７は、所定のプログラムを実行する第１の制御回路５０のＣＰＵ５１によって構成されている。こうした内部サーバー９７は、内部ブラウザー画面を生成するとともに、同内部ブラウザー画面を内部ＵＲＬと関連付けて管理している。すなわち、後述するイベント発生部９３２で割り込み表示イベントが発生されると、その旨が内部サーバー９７に入力される。すると、内部サーバー９７は、発生した割り込み表示イベントに対応する内部ブラウザー画面を生成し、同内部ブラウザー画面に対応する内部ＵＲＬをＵＩ制御部９３（詳しくは、後述する第２の表示制御部９３４）に出力（指定）する。そして、内部サーバー９７は、指定した内部ＵＲＬの内部ブラウザー画面をＵＩ制御部９３（第２の表示制御部９３４）から要求されたときには、同内部ブラウザー画面に関する内部ブラウザー画面情報をＵＩ制御部９３（第２の表示制御部９３４）に出力する。
【００５０】
また、内部サーバー９７は、情報端末１２のモニター１２１に内部ブラウザー画面を表示させることもある。このとき、内部サーバー９７は、モニター１２１に表示させたい内部ブラウザー画面に対応する内部ＵＲＬを、通信部９５を介して情報端末１２に送信（指定）する。そして、内部サーバー９７は、指定した内部ＵＲＬの内部ブラウザー画面を情報端末１２から要求されると、同内部ブラウザー画面に関する内部ブラウザー画面情報を、通信部９５を介して情報端末１２に送信する。これにより、情報端末１２のモニター１２１には、送信した内部ブラウザー画面情報に基づいた内部ブラウザー画面が表示される。
【００５１】
ＵＩ制御部９３は、所定のプログラムを実行する第１の制御回路５０のＣＰＵ５１及び表示ドライバーと、所定のプログラムを実行する第２の制御回路６０のＣＰＵ６１及び表示ドライバーと、ＶＲＡＭ７０とによって構成されている。こうしたＵＩ制御部９３は、第１の表示制御部９３１、イベント発生部９３２、制御権管理部９３３、第２の表示制御部９３４、外部ＵＲＬ記憶部９３５及び内部ＵＲＬ記憶部９３６を有している。
【００５２】
第１の表示制御部９３１は、第１の制御回路５０の表示ドライバー、所定のプログラムを実行する第１の制御回路５０のＣＰＵ５１、及びＶＲＡＭ７０により構成されている。こうした第１の表示制御部９３１は、ネイティブ画面記憶部９４に記憶されているネイティブ画面情報を読み出し、同ネイティブ画面情報に基づいたネイティブ画面を表示部２３２に表示させる第３の表示処理を実施する。この点で、第１の表示制御部９３１により、ネイティブ画面記憶部９４から読み出したネイティブ画面情報に基づいたネイティブ画面を表示部２３２に表示させる第３の表示処理を実施する「表示制御部」の一例が構成される。
【００５３】
イベント発生部９３２は、所定のプログラムを実行する第１の制御回路５０のＣＰＵ５１によって構成されている。こうしたイベント発生部９３２は、センサー８８，８９からの信号の変化を監視している。そのため、イベント発生部９３２は、機構部の一例であるカバー部材８２や給紙カセット８４が操作されたことを、センサー８８，８９からの信号に基づき検知することができる。この点で、イベント発生部９３２により、カバー部材８２や給紙カセット８４への操作に起因する同カバー部材８２や給紙カセット８４の状態変化を検知する「状態変化検知部」の一例が構成される。そして、イベント発生部９３２は、カバー部材８２や給紙カセット８４の状態変化を検知すると、機構部の状態変化に起因する割り込み表示イベントを発生させ、その旨を内部サーバー９７、制御権管理部９３３及び第２の表示制御部９３４に出力する。
【００５４】
制御権管理部９３３は、所定のプログラムを実行する第１の制御回路５０のＣＰＵ５１によって構成されている。こうした制御権管理部９３３は、表示処理を第１の表示制御部９３１に実施させるのか第２の表示制御部９３４に実施させるのかを管理する。例えば、制御権管理部９３３は、後述する第１の表示処理を第２の表示制御部９３４が実施している状況下で、イベント発生部９３２が割り込み表示イベントを発生させると、表示部２３２の制御権を第２の表示制御部９３４で保持させる。
【００５５】
一方、制御権管理部９３３は、第３の表示処理を第１の表示制御部９３１が実施している状況下で、イベント発生部９３２が割り込み表示イベントを発生させると、表示部２３２の制御権を第１の表示制御部９３１から第２の表示制御部９３４に譲る旨を第１の表示制御部９３１及び第２の表示制御部９３４に出力する。その後、制御権管理部９３３は、割り込み表示イベントが終了したときには、表示部２３２の制御権を第２の表示制御部９３４から第１の表示制御部９３１に戻す旨を第１の表示制御部９３１及び第２の表示制御部９３４に出力する。
【００５６】
第２の表示制御部９３４は、第２の制御回路６０の表示ドライバー、所定のプログラムを実行する第２の制御回路６０のＣＰＵ６１、及びＶＲＡＭ７０により構成されている。こうした第２の表示制御部９３４は、管理サーバー４０から受信した外部ブラウザー画面情報に基づいた外部ブラウザー画面を表示部２３２に表示させる第１の表示処理を実行する。このとき、第２の表示制御部９３４は、管理サーバー４０によって指定された外部ＵＲＬを通信部９５を介して受信し、同外部ＵＲＬを外部ＵＲＬ記憶部９３５に記憶させる。そして、第２の表示制御部９３４は、表示部２３２の制御権を有しているときには、外部ＵＲＬ記憶部９３５に記憶されている最新の外部ＵＲＬの外部ブラウザー画面を要求し、同外部ブラウザー画面に関する外部ブラウザー画面情報を通信部９５を介して管理サーバー４０から受信（ダウンロード）する。続いて、第２の表示制御部９３４は、受信した外部ブラウザー画面情報に基づいた外部ブラウザー画面を表示部２３２に表示させる。
【００５７】
また、第２の表示制御部９３４は、内部サーバー９７から入力された内部ブラウザー画面情報に基づいた内部ブラウザー画面を表示部２３２に表示させる第２の表示処理を実行する。このとき、第２の表示制御部９３４は、内部サーバー９７によって指定された内部ＵＲＬが入力され、同内部ＵＲＬを内部ＵＲＬ記憶部９３６に記憶させる。そして、第２の表示制御部９３４は、割り込み表示イベントが発生した旨が入力されるとともに、表示部２３２の制御権を有しているときには、内部ＵＲＬ記憶部９３６に記憶されている最新の内部ＵＲＬの内部ブラウザー画面を要求し、同内部ブラウザー画面に関する内部ブラウザー画面情報を内部サーバー９７から入力させる。続いて、第２の表示制御部９３４は、入力された内部ブラウザー画面情報に基づいた内部ブラウザー画面を表示部２３２に表示させる。したがって、この点で、第２の表示制御部９３４により、第１の表示処理と第２の表示処理とを実施する「表示制御部」の一例が構成される。
【００５８】
なお、第２の表示制御部９３４が外部ブラウザー画面情報を受信している最中に、表示部２３２の制御権が第２の表示制御部９３４から第１の表示制御部９３１に移行することがある。この場合、第２の表示制御部９３４は、外部ブラウザー画面情報の受信を中断し、外部ブラウザー画面を表示部２３２に表示させる第１の表示処理を中断する。同様に、第２の表示制御部９３４に内部ブラウザー画面情報が入力されている最中に、表示部２３２の制御権が第２の表示制御部９３４から第１の表示制御部９３１に移行することもある。この場合、第２の表示制御部９３４は、内部サーバー９７からの内部ブラウザー画面情報の入力を中断させ、内部ブラウザー画面を表示部２３２に表示させる第２の表示処理を中断する。
【００５９】
また、第２の表示制御部９３４が外部ＵＲＬを受信している最中に、表示部２３２の制御権が第２の表示制御部９３４から第１の表示制御部９３１に移行することがある。この場合、第２の表示制御部９３４は、第１の表示制御部９３１によって第３の表示処理が開始されても、外部ＵＲＬの受信を継続し、受信した外部ＵＲＬを外部ＵＲＬ記憶部９３５に記憶させる。ただし、第２の表示制御部９３４は、表示部２３２の制御権を有していないときには、当該外部ＵＲＬの外部ブラウザー画面を管理サーバー４０に要求しない。
【００６０】
制御部９６は、所定のプログラムを実行する第１の制御回路５０のＣＰＵ５１と、第１の制御回路５０のＡＳＩＣ５２とによって構成されている。こうした制御部９６は、印刷制御部９６１、コピー制御部９６２、スキャン制御部９６３及びＦＡＸ制御部９６４を含んでいる。
【００６１】
印刷制御部９６１は、印刷が要求されたときに、管理サーバー４０から印刷ジョブを受信し、同印刷ジョブに基づいた印刷を行う。コピー制御部９６２は、コピーが要求されたときに、印刷部２１及びスキャン部２２を制御してコピーを実行する。
【００６２】
スキャン制御部９６３は、スキャンが要求されたときに、スキャン部２２を制御してスキャンを実行し、取得した画像情報を情報端末１２に送信する。この送信対象となる情報端末１２は、ユーザーによる操作部２３１の操作によって選択することが可能である。
【００６３】
ＦＡＸ制御部９６４は、ＦＡＸが要求されたときに、スキャン部２２を制御して媒体に記録されている画像を読み取り、取得した画像情報をＦＡＸ情報として送信先に送信する。
【００６４】
次に、図６〜図１１を参照し、複合機２０の表示部２３２に表示される画面について説明する。
図６に示す画面は、複合機２０に実行させる処理をユーザーに選択させるための処理選択画面ＢＯ１の一例である。この処理選択画面ＢＯ１には、「印刷」、「コピー」、「スキャン」及び「ＦＡＸ」の他、「その他」が選択可能に表示されている。そして、処理選択画面ＢＯ１上で「その他」が選択された場合には複合機２０の各種のメンテナンスや設定が可能となる。なお、こうした処理選択画面ＢＯ１は、外部ブラウザー画面である。
【００６５】
図７に示す画面は、処理選択画面ＢＯ１上で「印刷」が選択された場合における画面の一例である。この画面は、ユーザーが選択可能な印刷ジョブを一覧表示するジョブリスト画面ＢＯ２の一例である。なお、こうしたジョブリスト画面ＢＯ２は、外部ブラウザー画面である。
【００６６】
図８に示す画面は、ジョブリスト画面ＢＯ２上で印刷ジョブが選択され、同印刷ジョブに基づいた印刷を印刷部２１が実行している最中に表示させる印刷中画面ＢＯ３の一例である。この印刷中画面ＢＯ３は、外部ブラウザー画面である。
【００６７】
図９に示す画面は、給紙カセット８４が印刷部ケース８１から離脱されたときに表示される用紙属性設定用画面ＢＩ１の一例である。この用紙属性設定用画面ＢＩ１は、内部ブラウザー画面である。そして、用紙属性設定用画面ＢＩ１上で「サイズ」が選択されると、図１０に示す画面が表示部２３２に表示される。また、用紙属性設定用画面ＢＩ１上で「種類」が選択されると、図１１に示す画面が表示部２３２に表示される。また、用紙属性設定用画面ＢＩ１上で「ＯＫ」が選択されると、割り込み表示イベントが終了したと判断され、表示部２３２に用紙属性設定用画面ＢＩ１が表示されなくなる。
【００６８】
図１０に示す画面は、媒体の属性の一例である用紙のサイズを設定させるためのサイズ設定用画面ＢＩ２である。このサイズ設定用画面ＢＩ２は、内部ブラウザー画面である。そして、このサイズ設定用画面ＢＩ２上で例えば「Ａ４」が選択され、その後に「ＯＫ」が選択されると、用紙のサイズの設定が完了したと判断され、表示部２３２では、用紙属性設定用画面ＢＩ１が再び表示される。
【００６９】
図１１に示す画面は、媒体の属性の一例である用紙の種類を設定させるための種類設定用画面ＢＩ３である。この種類設定用画面ＢＩ３は、内部ブラウザー画面である。そして、この種類設定用画面ＢＩ３上で例えば「普通紙」が選択され、その後に「ＯＫ」が選択されると、用紙の種類の設定が完了したと判断され、表示部２３２では、用紙属性設定用画面ＢＩ１が再び表示される。
【００７０】
図１２に示す画面は、カバー部材８２が遮蔽位置に位置していないときに表示される画面の一例である。この画面は、カバー部材８２が開放されていることを報知するための開放報知画面ＢＩ５の一例であり、内部ブラウザー画面である。この開放報知画面ＢＩ５は、カバー部材８２が遮蔽位置に戻されると、割り込み表示イベントが終了したと判断され、表示部２３２に表示されなくなる。
【００７１】
図１３に示す画面は、処理選択画面ＢＯ１上で「コピー」が選択された場合における画面の一例である。この画面は、コピーを実行させる際に各種の条件（倍率や用紙サイズなど）の選択を促す条件選択画面Ｎ１である。なお、コピーのような受信不要処理の実行条件の選択を促す条件選択画面Ｎ１は、ネイティブ画面である。
【００７２】
次に、図１４を参照し、情報端末１２のモニター１２１に表示させる内部ブラウザー画面の一例を説明する。
図１４に示す画面は、複合機２０の給紙カセット８４で用紙切れが発生した際に表示される案内画面ＢＩ１１の一例である。この案内画面ＢＩ１１は、内部ブラウザー画面情報を複合機２０から情報端末１２のコンピューターが受信（ダウンロード）することにより、情報端末１２のモニター１２１に表示される。そして、こうした案内画面ＢＩ１１は、モニター１２１上で「確認」が選択されると、モニター１２１に表示されなくなる。
【００７３】
次に、図１５に示すフローチャートを参照し、外部ブラウザー画面が表示部２３２に表示されている状況下で、ユーザーが給紙カセット８４（機構部の一例）を印刷部ケース８１から離脱させた際の処理手順について説明する。
【００７４】
図１５に示すように、複合機２０の表示部２３２に表示される画面をネイティブ画面から外部ブラウザー画面に切り替える際、管理サーバー４０が、ネイティブ画面から外部ブラウザー画面への切り替えの要求であるブラウザー切替要求を複合機２０に送信する（ステップＳ１−１１）。なお、このステップＳ１−１１では、管理サーバー４０が表示部２３２に表示させたいブラウザー画面（例えば、図７に示すジョブリスト画面Ｂ２）の外部ＵＲＬが、ブラウザー切替要求とともに送信される。
【００７５】
そして、こうしたブラウザー切替要求及び外部ＵＲＬは、第２の制御回路６０の通信部９５で受信される。すると、第２の制御回路６０の通信部９５が、ブラウザー切替要求を第１の制御回路５０の制御権管理部９３３に出力する（ステップＳ２−１１）。また、第２の制御回路６０では、ブラウザー切替要求とともに受信した外部ＵＲＬが外部ＵＲＬ記憶部９３５に記憶される。
【００７６】
一方、ブラウザー切替要求が入力された第１の制御回路５０では、制御権管理部９３３が、表示部２３２の制御権を第２の表示制御部９３４に譲る旨を第１の表示制御部９３１に出力すると、この第１の表示制御部９３１が第３の表示処理を終了する（ステップＳ３−１１）。続いて、第１の制御回路５０の制御権管理部９３３は、表示部２３２の制御権を第２の表示制御部９３４に譲る旨を、第２の制御回路６０の第２の表示制御部９３４に出力する（ステップＳ３−１２）。
【００７７】
そして、第２の制御回路６０において、第２の表示制御部９３４は、管理サーバー４０によって指定された外部ＵＲＬ、すなわち外部ＵＲＬ記憶部９３５に記憶されている最新の外部ＵＲＬの外部ブラウザー画面に関する外部ブラウザー画面情報を同管理サーバー４０に要求する（ステップＳ２−１２）。すると、管理サーバー４０は、要求されている外部ブラウザー画面情報を第２の制御回路６０に送信する（ステップＳ１−１２）。
【００７８】
そして、第２の制御回路６０では、第２の表示制御部９３４が、外部ブラウザー画面情報を受信（ダウンロード）し、第１の表示処理を開始する（ステップＳ２−１３）。これにより、表示部２３２には、受信した外部ブラウザー画面情報に基づいた外部ブラウザー画面が表示される。すなわち、このステップＳ２−１３が実施されると、表示部２３２の画面が、ネイティブ画面から外部ブラウザー画面に切り替わる。この点で、ステップＳ２−１３により、複合機２０の制御装置２４に、管理サーバー４０から受信した外部ブラウザー画面情報に基づいた画面を表示部２３２に表示させる「第１の表示ステップ」の一例が構成される。
【００７９】
このように表示部２３２に外部ブラウザー画面が表示されている状況下で、ユーザーが給紙カセット８４を印刷部ケース８１から離脱させたとする。この場合、カセットセンサー８８からの信号が変化するため、第１の制御回路５０のイベント発生部９３２が、ユーザーによる給紙カセット８４の操作に起因する給紙カセット８４の状態変化を検知し、同給紙カセット８４の状態変化に応じた割り込み表示イベントを発生させる（ステップＳ３−１３）。この点で、ステップＳ３−１３により、複合機２０の制御装置２４に、機構部への操作に起因する同機構部の状態変化を検知させる「状態変化検知ステップ」の一例が構成される。
【００８０】
なお、第１の制御回路５０では、給紙カセット８４の操作に応じた割り込み表示イベントをイベント発生部９３２が発生させると、内部サーバー９７では、発生した割り込み表示イベントに応じた内部ブラウザー画面（例えば、図９に示す用紙属性設定用画面ＢＩ１）が生成される。そして、こうした内部ブラウザー画面に対応する内部ＵＲＬは、割り込み発生イベントが発生した旨とともに第２の制御回路６０に出力される。なお、この内部ＵＲＬは、内部ＵＲＬ記憶部９３６に記憶される。
【００８１】
すると、第２の制御回路６０において、第２の表示制御部９３４は、第１の表示処理を終了する（ステップＳ２−１４）。これにより、表示部２３２に外部ブラウザー画面が表示されなくなる。続いて、第２の表示制御部９３４は、第１の制御回路５０の内部サーバー９７によって指定された内部ＵＲＬの内部ブラウザー画面に関する内部ブラウザー画面情報を第１の制御回路５０の内部サーバー９７に要求する（ステップＳ２−１５）。すると、第１の制御回路５０の内部サーバー９７は、要求されている内部ブラウザー画面情報を第２の制御回路６０に出力する（ステップＳ３−１４）。この点で、ステップＳ２−１４，Ｓ２−１５，Ｓ３−１４により、複合機２０の制御装置２４に、外部ブラウザー画面情報に基づいた画面を表示部２３２が表示している最中に給紙カセット８４の状態変化が検知されたときには、第１の表示処理ステップから第２の表示処理ステップに切り替えさせる「切り替えステップ」の一例が構成される。
【００８２】
そして、第２の制御回路６０では、第２の表示制御部９３４が、入力された内部ブラウザー画面情報に基づき、第２の表示処理を開始する（ステップＳ２−１６）。これにより、表示部２３２には、入力された内部ブラウザー画面情報に基づいた内部ブラウザー画面が表示される。この点で、ステップＳ２−１３により、複合機２０の制御装置２４に、内部サーバー９７で生成した内部ブラウザー画面情報に基づいた画面を表示部２３２に表示させる「第２の表示ステップ」の一例が構成される。
【００８３】
この場合、給紙カセット８４の状態変化に応じた割り込み表示イベントが発生している。そのため、第２の表示制御部９３４は、図９に示す用紙属性設定用画面ＢＩ１を表示部２３２に表示させる。この状態で、ユーザーによるタッチパネル２３Ａの操作によって、用紙属性設定用画面ＢＩ１で「サイズ」の領域が選択されると、パネル入力判断部９２は、パネル操作情報を第１の制御回路５０の第１の表示制御部９３１に出力する（ステップＳ２−１７）。すると、第１の制御回路５０において、第１の表示制御部９３１が、入力されたパネル操作情報を解析し、ユーザーが用紙のサイズの設定を選択したことを取得する（ステップＳ３−１５）。
【００８４】
そして、第１の制御回路５０では、内部サーバー９７が、図１０に示すサイズ設定用画面ＢＩ２の内部ＵＲＬを第２の表示制御部９３４に出力する。次いで、第２の表示制御部９３４は、内部サーバー９７によって指定された内部ＵＲＬの内部ブラウザー画面情報を内部サーバー９７に要求する（ステップＳ２−１５）。そして、第２の表示制御部９３４は、要求した内部ブラウザー画面情報が内部サーバー９７から入力されると（ステップＳ３−１４）、図１０に示すサイズ設定用画面ＢＩ２を表示部２３２に表示させる第２の表示処理を実施する（ステップＳ２−１６）。
【００８５】
この状態で、ユーザーによるタッチパネル２３Ａの操作によって、サイズ設定用画面ＢＩ２で「Ａ４」の領域が選択され、その後に「ＯＫ」の領域が選択されると、パネル入力判断部９２は、パネル操作情報を第１の制御回路５０の第１の表示制御部９３１に出力する（ステップＳ２−１７）。すると、第１の制御回路５０では、第１の表示制御部９３１が、入力されたパネル操作情報を解析し、ユーザーが用紙のサイズとして「Ａ４」を選択したことを取得する（ステップＳ３−１５）。
【００８６】
そして、第１の制御回路５０では、内部サーバー９７が、図９に示す用紙属性設定用画面ＢＩ１の内部ＵＲＬを第２の表示制御部９３４に出力する。次いで、第２の表示制御部９３４は、内部サーバー９７によって指定された内部ＵＲＬの内部ブラウザー画面情報を内部サーバー９７に要求する（ステップＳ２−１５）。そして、第２の表示制御部９３４は、要求した内部ブラウザー画面情報が内部サーバー９７から入力されると（ステップＳ３−１４）、図９に示す用紙属性設定用画面ＢＩ１を表示部２３２に表示させる（ステップＳ２−１６）。
【００８７】
この状態で、ユーザーによるタッチパネル２３Ａの操作によって、用紙属性設定用画面ＢＩ１で「種類」の領域が選択されると、パネル入力判断部９２は、パネル操作情報を第１の制御回路５０の第１の表示制御部９３１に出力する（ステップＳ２−１７）。すると、第１の制御回路５０では、第１の表示制御部９３１が、入力されたパネル操作情報を解析し、ユーザーが用紙の種類の設定を選択したことを取得する（ステップＳ３−１５）。
【００８８】
そして、第１の制御回路５０では、内部サーバー９７が、図１１に示す種類設定用画面ＢＩ３の内部ＵＲＬを第２の表示制御部９３４に出力する。次いで、第２の表示制御部９３４は、内部サーバー９７によって指定された内部ＵＲＬの内部ブラウザー画面情報を内部サーバー９７に要求する（ステップＳ２−１５）。そして、第２の表示制御部９３４は、要求した内部ブラウザー画面情報が内部サーバー９７から入力されると（ステップＳ３−１４）、図１１に示す種類設定用画面ＢＩ３を表示部２３２に表示させる（ステップＳ２−１６）。
【００８９】
この状態で、ユーザーによるタッチパネル２３Ａの操作によって、種類設定用画面ＢＩ３で「普通紙」の領域が選択され、その後に「ＯＫ」の領域が選択されると、パネル入力判断部９２は、パネル操作情報を第１の制御回路５０の第１の表示制御部９３１に出力する（ステップＳ２−１７）。すると、第１の制御回路５０では、第１の表示制御部９３１が、入力されたパネル操作情報を解析し、ユーザーが用紙の種類として「普通紙」を選択したことを取得する（ステップＳ３−１５）。
【００９０】
そして、第１の制御回路５０では、内部サーバー９７が、図９に示す用紙属性設定用画面ＢＩ１の内部ＵＲＬを第２の表示制御部９３４に出力する。次いで、第２の表示制御部９３４は、内部サーバー９７によって指定された内部ＵＲＬの内部ブラウザー画面情報を内部サーバー９７に要求する（ステップＳ２−１５）。そして、第２の表示制御部９３４は、要求した内部ブラウザー画面情報が内部サーバー９７から入力されると（ステップＳ３−１４）、図９に示す用紙属性設定用画面ＢＩ１を表示部２３２に表示させる（ステップＳ２−１６）。
【００９１】
このように内部ブラウザー画面が表示部２３２に表示されている状況下で、タッチパネル２３Ａが操作されたときには、図１５に一点鎖線で示す領域内の各ステップが繰り返されることとなる。
【００９２】
この状態で、ユーザーによるタッチパネル２３Ａの操作によって、用紙属性設定用画面ＢＩ１で「ＯＫ」の領域が選択されると、パネル入力判断部９２は、パネル操作情報を第１の制御回路５０の第１の表示制御部９３１に出力する（ステップＳ２−１８）。すると、第１の制御回路５０では、第１の表示制御部９３１が、入力されたパネル操作情報を解析し、ユーザーが用紙の属性の設定を完了したこと、すなわち割り込み表示イベントが終了したことを検知する（ステップＳ３−１６）。
【００９３】
次いで、第１の制御回路５０では、イベント発生部９３２が、内部ブラウザー画面から外部ブラウザー画面への切り替えを第２の制御回路６０の第２の表示制御部９３４に要求する（ステップＳ３−１７）。
【００９４】
そして、こうした要求が入力されると、第２の制御回路６０の第２の表示制御部９３４は、第２の表示処理を終了し、外部ＵＲＬ記憶部９３５に記憶されている最新の外部ＵＲＬの外部ブラウザー画面に関する外部ブラウザー画面情報を同管理サーバー４０に要求する（ステップＳ２−１９）。すると、管理サーバー４０は、要求されている外部ブラウザー画面情報を第２の制御回路６０に送信する（ステップＳ１−１３）。
【００９５】
そして、第２の制御回路６０では、第２の表示制御部９３４が、ブラウザー画面情報を受信（ダウンロード）し、第１の表示処理を開始する（ステップＳ２−２０）。これにより、表示部２３２には、受信した外部ブラウザー画面情報に基づいた外部ブラウザー画面が表示される。このとき、外部ＵＲＬ記憶部９３５から読み出した外部ＵＲＬが、ステップＳ２−１４の第１の表示処理の終了直前で表示部２３２に表示されていた外部ブラウザー画面の外部ＵＲＬと同じである場合、第２の表示処理から第１の表示処理に切り替わることにより、表示部２３２の画面が、割り込み表示イベントの発生直前の画面に戻ることとなる。
【００９６】
次に、図１６に示すフローチャートを参照し、外部ブラウザー画面が表示部２３２に表示されている状況下で、ユーザーによる操作によってカバー部材８２が遮蔽位置から変位した際の処理手順について説明する。
【００９７】
図１６に示すように、第２の制御回路６０の第２の表示制御部９３４が、管理サーバー４０から受信（ダウンロード）した外部ブラウザー画面情報に基づいた外部ブラウザー画面を表示部２３２に表示させる第１の表示処理を実施する（ステップＳ２−３１）。この点で、ステップＳ２−３１により、「第１の表示ステップ」の一例が構成される。
【００９８】
このように表示部２３２に外部ブラウザー画面が表示されている状況下で、カバー部材８２が遮蔽位置から変位されたとする。この場合、カバーセンサー８９からの信号が変化するため、第１の制御回路５０のイベント発生部９３２が、ユーザーによるカバー部材８２の操作に起因するカバー部材８２の状態変化を検知し、同カバー部材８２の状態変化に応じた割り込み表示イベントを発生させる（ステップＳ３−３１）。この点で、ステップＳ３−３１により、「状態変化検知ステップ」の一例が構成される。
【００９９】
なお、第１の制御回路５０では、カバー部材８２の操作に応じた割り込み表示イベントをイベント発生部９３２が発生させると、内部サーバー９７では、発生した割り込み表示イベントに応じた内部ブラウザー画面（図１２に示す開放報知画面ＢＩ５）が生成される。そして、こうした内部ブラウザー画面に対応する内部ＵＲＬは、割り込み発生イベントが発生した旨とともに第２の表示制御部９３４に出力される。
【０１００】
すると、第２の制御回路６０において、第２の表示制御部９３４は、第１の表示処理を終了する（ステップＳ２−３２）。これにより、表示部２３２に外部ブラウザー画面が表示されなくなる。続いて、第２の表示制御部９３４は、第１の制御回路５０の内部サーバー９７によって指定された内部ＵＲＬの内部ブラウザー画面に関する内部ブラウザー画面情報を第１の制御回路５０の内部サーバー９７に要求する（ステップＳ２−３３）。すると、第１の制御回路５０の内部サーバー９７は、要求されている内部ブラウザー画面情報を第２の制御回路６０に出力する（ステップＳ３−３２）。この点で、ステップＳ２−３２，Ｓ２−３３，Ｓ３−３２により、複合機２０の制御装置２４に、外部ブラウザー画面情報に基づいた画面を表示部２３２が表示している最中にカバー部材８２の状態変化が検知されたときには、第１の表示処理ステップから第２の表示処理ステップに切り替えさせる「切り替えステップ」の一例が構成される。
【０１０１】
そして、第２の制御回路６０では、第２の表示制御部９３４が、入力された内部ブラウザー画面情報に基づき、第２の表示処理を開始する（ステップＳ２−３４）。これにより、表示部２３２には、入力された内部ブラウザー画面情報に基づいた内部ブラウザー画面が表示される。この場合、カバー部材８２の状態変化に応じた割り込み表示イベントが発生している。そのため、第２の表示制御部９３４は、図１２に示す開放報知画面ＢＩ５を表示部２３２に表示させる。この点で、ステップＳ２−３４により、「第２の表示ステップ」の一例が構成される。
【０１０２】
この状態でカバー部材８２が遮蔽位置に戻されると、カバーセンサー８９からの信号が変化するため、第１の制御回路５０のイベント発生部９３２が、割り込み表示イベントを終了させる（ステップＳ３−３３）。すると、制御権管理部９３３は、内部ブラウザー画面から外部ブラウザー画面への切り替えを第２の制御回路６０の第２の表示制御部９３４に要求する（ステップＳ３−３４）。
【０１０３】
そして、第２の制御回路６０の第２の表示制御部９３４は、第２の表示処理を終了し、外部ＵＲＬ記憶部９３５に記憶されている最新の外部ＵＲＬの外部ブラウザー画面に関する外部ブラウザー画面情報を同管理サーバー４０に要求する（ステップＳ２−３５）。すると、管理サーバー４０は、要求されている外部ブラウザー画面情報を第２の制御回路６０に送信する（ステップＳ１−３１）。
【０１０４】
そして、第２の制御回路６０では、第２の表示制御部９３４が、ブラウザー画面情報を受信（ダウンロード）し、第１の表示処理を開始する（ステップＳ２−３６）。これにより、表示部２３２には、受信した外部ブラウザー画面情報に基づいた外部ブラウザー画面が表示される。このとき、外部ＵＲＬ記憶部９３５から読み出した外部ＵＲＬが、ステップＳ２−３１の第１の表示処理の終了直前で表示部２３２に表示されていた外部ブラウザー画面の外部ＵＲＬと同じである場合、第２の表示処理から第１の表示処理に切り替わることにより、表示部２３２の画面が、割り込み表示イベントの発生直前の画面に戻ることとなる。
【０１０５】
次に、図１７に示すフローチャートを参照し、ネイティブ画面が表示部２３２に表示されている状況下で、ユーザーによる操作によってカバー部材８２が遮蔽位置から変位した際の処理手順について説明する。
【０１０６】
図１７に示すように、第１の制御回路５０の第１の表示制御部９３１が、ネイティブ画面記憶部９４から読み出したネイティブ画面情報に基づいたネイティブ画面を表示部２３２に表示させる第３の表示処理を実施する（ステップＳ３−４１）。
【０１０７】
このように表示部２３２にネイティブ画面が表示されている状況下で、カバー部材８２が遮蔽位置から変位されたとする。この場合、カバーセンサー８９からの信号が変化するため、第１の制御回路５０のイベント発生部９３２が、ユーザーによるカバー部材８２の操作に起因するカバー部材８２の状態変化を検知し、同カバー部材８２の状態変化に応じた割り込み表示イベントを発生させる（ステップＳ３−４２）。この点で、ステップＳ３−４２により、複合機２０の制御装置２４に、機構部への操作に起因する同機構部の状態変化を検知させる「状態変化検知ステップ」の一例が構成される。
【０１０８】
なお、第１の制御回路５０では、カバー部材８２の操作に応じた割り込み表示イベントをイベント発生部９３２が発生させると、内部サーバー９７では、発生した割り込み表示イベントに応じた内部ブラウザー画面（図１２に示す開放報知画面ＢＩ５）が生成される。そして、こうした内部ブラウザー画面に対応する内部ＵＲＬは、割り込み発生イベントが発生した旨とともに第２の表示制御部９３４に出力される。すると、第１の制御回路５０の第１の表示制御部９３１は、第３の表示処理を終了する（ステップＳ３−４３）。これにより、表示部２３２にネイティブ画面が表示されなくなる。
【０１０９】
一方、第２の制御回路６０において、第２の表示制御部９３４は、第１の制御回路５０の内部サーバー９７によって指定された内部ＵＲＬの内部ブラウザー画面に関する内部ブラウザー画面情報を第１の制御回路５０の内部サーバー９７に要求する（ステップＳ２−４１）。すると、第１の制御回路５０の内部サーバー９７は、要求されている内部ブラウザー画面情報を第２の制御回路６０に出力する（ステップＳ３−４４）。
【０１１０】
そして、第２の制御回路６０では、第２の表示制御部９３４が、入力された内部ブラウザー画面情報に基づき、第２の表示処理を開始する（ステップＳ２−４２）。このように第３の表示処理から第２の表示処理に切り替わることにより、表示部２３２には、入力された内部ブラウザー画面情報に基づいた内部ブラウザー画面が表示される。この場合、カバー部材８２の状態変化に応じた割り込み表示イベントが発生している。そのため、第２の表示制御部９３４は、図１２に示す開放報知画面ＢＩ５を表示部２３２に表示させる。この点で、ステップＳ２−４２により、「第２の表示ステップ」の一例が構成される。
【０１１１】
この状態でカバー部材８２が遮蔽位置に戻されると、カバーセンサー８９からの信号が変化するため、第１の制御回路５０のイベント発生部９３２が、割り込み表示イベントを終了させる（ステップＳ３−４５）。すると、制御権管理部９３３は、表示部２３２の制御権を第２の表示制御部９３４から第１の制御回路５０に戻す旨を第２の制御回路６０に出力する（ステップＳ３−４６）。
【０１１２】
そして、第２の制御回路６０において、第２の表示制御部９３４は、第２の表示処理を終了する（ステップＳ２−４３）。一方、第１の制御回路５０では、第１の表示制御部９３１が、第３の表示処理を開始する（ステップＳ３−４７）。これにより、表示部２３２には、割り込み表示イベントの発生前のネイティブ画面が表示されるようになる。
【０１１３】
以上、上記実施形態によれば、以下のような効果を得ることができる。
（１）外部ブラウザー画面情報に基づいた外部ブラウザー画面が表示部２３２に表示されている状況下で、ユーザーによる機構部の操作に起因する同機構部の状態変化が検知されると、表示処理が、第１の表示処理から第２の表示処理に切り替えられる。すると、機構部の状態変化の態様に応じた内部ブラウザー画面に関する内部ブラウザー画面情報に基づいた画面が表示部２３２に割り込み的に表示される。したがって、機構部がユーザーによって操作されたときに、そのときの同機構部の状態変化の態様に応じた画面を表示部２３２に表示させることができる。
【０１１４】
（２）なお、本実施形態では、給紙カセット８４やカバー部材８２などの操作部の状態変化が複合機２０で検知されると、操作部の状態変化を管理サーバー４０が検知しなくても、そのときの同機構部の状態の変化に応じた内部ブラウザー画面が表示部２３２に表示される。したがって、ポーリングを実施することにより複合機２０の状態の変化を管理サーバー４０が監視しなくても、操作部の状態が変化したときには、そのときの同機構部の状態の変化に応じた画面を表示部２３２に表示させることができる。
【０１１５】
（３）ここで、ポーリングを実施することにより複合機２０の状態の変化を管理サーバー４０で監視させ、操作部の状態変化を管理サーバー４０が検知したときに、管理サーバー４０が複合機２０の表示部２３２の表示内容を変更させる場合を比較例としたとする。この比較例では、ユーザーによる操作部の操作に起因して同操作部の状態が変化したタイミングと、管理サーバー４０がポーリングを実施することによって操作部の状態変化を検知するタイミングとのずれが大きいほど、複合機２０の表示部２３２の表示内容の変更に遅れが生じることとなる。この点、本実施形態では、操作部の状態変化を管理サーバー４０に検知させることなく、表示部２３２の表示内容を変更させることができる。そのため、上記比較例の場合と比較し、操作部の状態が変化したときには、表示部２３２の表示内容を速やかに変更させることができる。
【０１１６】
（４）例えば、ユーザーによって給紙カセット８４が操作されると、給紙カセット８４に収容される用紙Ｐの属性が変わった可能性がある。そのため、本実施形態では、外部ブラウザー画面が表示部２３２に表示されている状況下で、ユーザーによる給紙カセット８４の操作に起因する割り込み表示イベントが発生すると、表示部２３２に、用紙Ｐの属性を設定させるための用紙属性設定用画面ＢＩ１が、割り込み的に表示される。そして、用紙属性設定用画面ＢＩ１を表示部２３２に表示させることにより、ユーザーに、給紙カセット８４内の用紙Ｐの属性を設定させることができる。
【０１１７】
（５）また、例えば、外部ブラウザー画面が表示部２３２に表示されている状況下で、カバー部材８２の遮蔽位置からの変位に起因する割り込み表示イベントが発生すると、カバー部材８２の状態に応じた開放報知画面ＢＩ５を表示部２３２に表示させることができる。
【０１１８】
（６）カバー部材８２が遮蔽位置に完全に戻っていない場合には、割り込み表示イベントが終了していないと判断されるため、表示部２３２に開放報知画面ＢＩ５が表示され続ける。そのため、ユーザーによるカバー部材８２の閉め忘れを抑制することができる。
【０１１９】
（７）なお、管理サーバー４０によって指定された外部ＵＲＬは外部ＵＲＬ記憶部９３５に記憶される。そのため、割り込み表示イベントの発生に起因して第１の表示処理から第２の表示処理に切り替わり、その後に割り込み表示イベントが終了して第１の表示処理を再開させるときには、外部ＵＲＬ記憶部９３５に記憶されている最新の外部ＵＲＬを読み出すことにより、同外部ＵＲＬの外部ブラウザー画面を表示部２３２に表示させることができる。すなわち、割り込み表示イベントの終了時に、外部ＵＲＬを管理サーバー４０から新たに受信しなくても、割り込み表示イベントの発生直前に表示部２３２に表示されていた外部ブラウザー画面を、表示部２３２に再び表示させることが可能となる。
【０１２０】
（８）また、本実施形態では、ネイティブ画面が表示部２３２に表示されている状況下で、カバー部材８２や給紙カセット８４などの機構部の状態変化に起因する割り込み表示イベントが発生した際にも、機構部の状態変化に応じた内部ブラウザー画面が表示部２３２に表示される。したがって、ネイティブ画面が表示部２３２に表示されている状況下で機構部がユーザーによって操作されたときであっても、そのときの同機構部の状態変化の態様に応じた内部ブラウザー画面を表示部２３２に速やかに表示させることができる。
【０１２１】
なお、上記実施形態は以下のように変更してもよい。
・割り込み表示イベントの発生によって第１の表示処理から第２の表示処理に切り替わるときに、管理サーバー４０によって指定された最新の外部ＵＲＬを複合機２０側で記憶していなくてもよい。この場合、第２の表示処理が終了し、第１の表示処理が再開されるときには、管理サーバー４０から外部ＵＲＬを再び送信させ、同外部ＵＲＬの外部ブラウザー画面に関する画面情報を受信し、同外部ブラウザー画面情報に基づいた外部ブラウザー画面を表示部２３２に表示させるようにしてもよい。
【０１２２】
・割り込み表示イベントの発生によって第１の表示処理から第２の表示処理に切り替わるときには、第１の表示処理によって表示部２３２に表示されていた外部ブラウザー画面に関する情報を所定の記憶部に記憶させるようにしてもよい。この場合、第２の表示処理が終了し、第１の表示処理が再開されるときには、所定の記憶部から外部ブラウザー画面情報を読み出し、同外部ブラウザー画面情報に基づいたブラウザー画面を表示部２３２に表示させるようにしてもよい。
【０１２３】
・用紙の属性として、用紙サイズのみ設定可能な場合には、ユーザーによる給紙カセット８４の操作に起因する割り込み表示イベントが発生したときには、図１０に示すサイズ設定用画面ＢＩ２を表示部２３２に表示させるようにしてもよい。
【０１２４】
・用紙の属性として、用紙の種類のみ設定可能な場合には、ユーザーによる給紙カセット８４の操作に起因する割り込み表示イベントが発生したときには、図１１に示す種類設定用画面ＢＩ３を表示部２３２に表示させるようにしてもよい。
【０１２５】
・上記実施形態では、内部ブラウザー画面が表示部２３２に表示されている状況下で、タッチパネル２３Ａが操作されたときには、パネル操作情報が第２の制御回路６０から第１の制御回路５０に出力されるようにしていた。しかし、これに限らず、内部ブラウザー画面が表示部２３２に表示されている状況下で、タッチパネル２３Ａが操作されたときには、パネル操作情報を第２の制御回路６０から管理サーバー４０に送信させるようにしてもよい。この場合、パネル操作情報の解析が、第１の制御回路５０ではなく管理サーバー４０で行われることとなる。
【０１２６】
例えば、表示部２３２に外部ブラウザー画面が表示されている状況下で給紙カセット８４の状態変化が検知され、内部ブラウザー画面の一例である用紙属性設定用画面ＢＩ１（図９参照）が表示部２３２に表示されているときに、ユーザーによってタッチパネル２３Ａが操作されると、パネル操作情報が第２の制御回路６０から管理サーバー４０に送信される。この場合、管理サーバー４０でパネル操作情報が解析され、その解析結果が管理サーバー４０から第２の制御回路６０に送信される。こうした解析結果は、第２の制御回路６０から第１の制御回路５０に出力される。これにより、第１の制御回路５０の内部サーバー機能によって、解析結果に応じた内部ブラウザー画面が用意され、第２の制御回路６０によって表示部２３２の表示内容が変更される。そして、用紙の属性の設定が完了したと判断できたときには、内部ブラウザー画面から外部ブラウザー画面への変更が、第１の制御回路５０から第２の制御回路６０に対して要求される。
【０１２７】
・上記実施形態では、給紙カセット８４が印刷部ケース８１から離脱されたタイミングで割り込み表示イベントを発生させるようにしているが、離脱されている給紙カセット８４が印刷部ケース８１に装着されたタイミングで割り込み表示イベントを発生させるようにしてもよい。
【０１２８】
・機構部の一例を構成するカバー部材は、複合機２０の本体に対してスライド移動可能な構成であってもよいし、複合機２０の本体から取り外し可能な構成であってもよい。
・機構部は、複合機２０の本体に対して変位可能に構成されたものであれば、給紙カセット８４やカバー部材８２以外の他の機構部であってもよい。例えば、こうした他の機能部としては、インクタンクが収容されているケースや同ケースのカバー部材などを挙げることができる。また、機構部は、印刷部２１の印刷部ケース８１ではなく、スキャン部２２のスキャン部ケースに設けられた機構部であってもよい。
【０１２９】
・管理システムを構成する電子機器は、表示部２３２を有しているのであれば、複合機以外の他の電子機器であってもよい。例えば、電子機器は、印刷のみが実行可能なプリンターであってもよいし、コピーのみが実行可能なコピー機であってもよいし、スキャン機能を有するスキャナーであってもよい。
【０１３０】
次に、上記実施形態及び別の実施形態から把握できる技術的思想を以下に追記する。
（イ）前記機構部は、前記電子機器の本体に対して変位可能に構成されていることが好ましい。
【０１３１】
（ロ）前記内部サーバー画面情報は、前記電子機器と通信する情報端末の表示部に表示させるための画面情報であり、前記内部サーバー情報を前記情報端末に送信することにより、同情報端末の表示部に、同内部サーバー画面情報に基づいた画面を表示させることが好ましい。
【０１３２】
上記構成によれば、情報端末の表示部に表示させるための内部サーバー画面情報を生成する内部サーバーを利用することにより、機構部の状態変化が検知されたときにおける電子機器の表示部の表示内容を制御することができる。
【０１３３】
（ハ）前記表示制御部は、前記第１の表示処理を実施するとき、前記外部サーバーによって指定された外部用アクセス情報に応じた画面を要求し、同要求に応じて同外部サーバーから受信した前記外部サーバー情報に基づいた画面を前記表示部に表示させることが好ましい。
【符号の説明】
【０１３４】
１１…ネットワーク、１２…情報端末、１２１…モニター、２０…電子機器の一例である複合機、２１…印刷部、２３２…表示部、２４…制御装置、４０…管理サーバー、８１…電子機器の本体の一例を構成する印刷部ケース、８２…機構部の一例を構成するカバー部材、８４…機構部の一例を構成する給紙カセット（媒体収容部の一例）、８８…カセットセンサー、８９…カバーセンサー、９３１…表示制御部の一例を構成する第１の表示制御部、９３２…状態変化検知部の一例であるイベント発生部、９３４…表示制御部の一例を構成する第２の表示制御部、９４…ネイティブ画面記憶部、９７…内部サーバー。
【図１】
0006394883.tif 000002
【図２】
0006394883.tif 000003
【図３】
0006394883.tif 000004
【図４】
0006394883.tif 000005
【図５】
0006394883.tif 000006
【図６】
0006394883.tif 000007
【図７】
0006394883.tif 000008
【図８】
0006394883.tif 000009
【図９】
0006394883.tif 000010
【図１０】
0006394883.tif 000011
【図１１】
0006394883.tif 000012
【図１２】
0006394883.tif 000013
【図１３】
0006394883.tif 000014
【図１４】
0006394883.tif 000015
【図１５】
0006394883.tif 000016
【図１６】
0006394883.tif 000017
【図１７】
0006394883.tif 000018